(57)【要約】【課題】エアフィルタの交換周期を延ばしてランニングコストの増加を抑制できるエアフィルタ装置を提供する。【解決手段】フィルタ収容空間２０を有するフィルタケース２は、エア流入口２１ａ、エア流出口２２ａ及び粉塵排出口２３ａを有す。フィルタ収容空間２０には、伸縮性を有する筒状エアフィルタ３が収容され、一端側開口がエア流入口２１ａに、他端側開口が粉塵排出口２３ａにそれぞれ着脱可能に繋がる。操作ハンドル４は、粉塵排出口２３ａに上下に移動可能に挿入された筒状把持部４１を備え、エアフィルタ３を筒中心線に沿う方向に伸縮させる。粉塵を捕捉する際には、キャップ４４を筒状把持部４１下端に取り付けて粉塵排出口２３ａを閉じる一方、エアフィルタ３内部に留った粉塵をフィルタケース２外部に排出する際には、筒状把持部４１下端からキャップ４４を外して粉塵排出口２３ａを開く。【選択図】図４
2014100629.tif 000002
【特許請求の範囲】
【請求項１】
エア流入口が形成された上壁、エア流出口が形成された側壁及び粉塵排出口が形成された下壁を有し、これら壁により囲まれた内側にフィルタ収容空間が形成されたフィルタケースと、
両端が開口し、上記フィルタ収容空間に収容されて一端側開口が上記エア流入口に、他端側開口が上記粉塵排出口にそれぞれ着脱可能に繋がる伸縮性を有する筒状エアフィルタと、
該エアフィルタを筒中心線に沿う方向に伸縮させる伸縮作動手段と、
上記エア流入口から流入するエアを上記エアフィルタの内部から外部へと通過させて上記エア流出口から流出させる過程で粉塵を捕捉する際には、上記粉塵排出口を閉じる一方、上記エアフィルタ内部に留った粉塵を上記フィルタケース外部に排出する際には、上記粉塵排出口を開く開閉手段とを備えていることを特徴とするエアフィルタ装置。
【請求項２】
請求項１に記載のエアフィルタ装置において、
上記エアフィルタ内部には、当該エアフィルタを常時伸張付勢するフィルタ付勢手段が設けられていることを特徴とするエアフィルタ装置。
【請求項３】
請求項１又は２に記載のエアフィルタ装置において、
上記伸縮作動手段は、作業者が把持して上記エアフィルタを伸縮させる操作ハンドルであり、上記粉塵排出口に上下に移動可能に挿入され、上記エアフィルタ内部と上記フィルタケース外部とを連通させる筒状把持部と、該筒状把持部の一端側に接続され、上記エアフィルタの他端側開口を支持するフィルタ支持部とを備えていることを特徴とするエアフィルタ装置。
【請求項４】
請求項３に記載のエアフィルタ装置において、
上記フィルタ支持部は、フィルタ支持部付勢手段により常時上方付勢されていることを特徴とするエアフィルタ装置。
【請求項５】
請求項３又は４に記載のエアフィルタ装置において、
上記フィルタ支持部は、上方に行くに従って側方に拡がる錐体形状であることを特徴とするエアフィルタ装置。
【請求項６】
請求項１から５のいずれか１つに記載のエアフィルタ装置において、
上記フィルタ付勢手段は、上記エアフィルタの両端開口周縁を支持する一対の環状フレームと、
該環状フレームの中心から径方向に延出して上記環状フレームに繋がる補強フレームと、
上記エアフィルタの筒中心線に沿って延び、一端が一方の補強フレームに接続され、且つ、他端が開口する筒部材と、
上記エアフィルタの筒中心線に沿って延び、一端側が上記筒部材にスライド可能に挿入され、且つ、他端が他方の補強フレームに接続された棒材と、
上記筒部材内部に収容され、上記棒材を上記筒部材から突出する方向に常時付勢するバネ部材とを備えていることを特徴とするエアフィルタ装置。
【発明の詳細な説明】
【技術分野】
【０００１】
本発明は、空気中に含まれる粉塵を除去するエアフィルタ装置に関する。
【背景技術】
【０００２】
従来より、空気中に含まれる粉塵を除去するエアフィルタ装置は、例えば、特許文献１に開示されているように、上壁、側壁及び下壁でフィルタ収容空間が形成されたフィルタケースを備え、エア流入口が上壁に、エア流出口が下壁にそれぞれ形成されている。上記フィルタ収容空間には、一端側のみ開口する筒状エアフィルタが収容され、該エアフィルタの一端側開口が上記エア流入口に繋がる一方、フィルタケースの側壁及び下壁とエアフィルタとの間には隙間が設けられている。上記エア流入口からエアフィルタ内部に流入するエアは、当該エアフィルタを内部から外部へと通過した後、フィルタケースとエアフィルタとの間の隙間を移動して上記エア流出口から流出するようになっている。そして、エアフィルタで除去された粉塵は、エアフィルタ内部に留まり、エアフィルタの交換時に、一度エアフィルタによって捕捉された粉塵がフィルタケース内に落下してエア流出口から空気と共に出て行くのを防止できるようになっている。
【先行技術文献】
【特許文献】
【０００３】
【特許文献１】特開２００６−８８１０４号公報（段落００１６〜００２９欄、図１，２）
【発明の概要】
【発明が解決しようとする課題】
【０００４】
ところで、エアフィルタは定期的に交換する必要があるが、目詰まりが早いと交換周期を短くせざるを得ず、ランニングコストが嵩むことになってしまう。
【０００５】
しかし、特許文献１のエアフィルタ装置では、エアフィルタの交換周期を延ばすことについて何ら考慮されていない。
【０００６】
本発明は、斯かる点に鑑みてなされたものであり、その目的とするところは、エアフィルタの交換周期を延ばしてランニングコストの増加を抑制できるエアフィルタ装置を提供することにある。
【課題を解決するための手段】
【０００７】
上記の目的を達成するために、本発明は、筒状エアフィルタをフィルタケース内に収容した状態で筒中心線方向に伸縮可能にしたことを特徴とする。
【０００８】
すなわち、第１の発明では、エア流入口が形成された上壁、エア流出口が形成された側壁及び粉塵排出口が形成された下壁を有し、これら壁により囲まれた内側にフィルタ収容空間が形成されたフィルタケースと、両端が開口し、上記フィルタ収容空間に収容されて一端側開口が上記エア流入口に、他端側開口が上記粉塵排出口にそれぞれ着脱可能に繋がる伸縮性を有する筒状エアフィルタと、該エアフィルタを筒中心線に沿う方向に伸縮させる伸縮作動手段と、上記エア流入口から流入するエアを上記エアフィルタの内部から外部へと通過させて上記エア流出口から流出させる過程で粉塵を捕捉する際には、上記粉塵排出口を閉じる一方、上記エアフィルタ内部に留った粉塵を上記フィルタケース外部に排出する際には、上記粉塵排出口を開く開閉手段とを備えていることを特徴とする。
【０００９】
第２の発明では、第１の発明において、上記エアフィルタ内部には、当該エアフィルタを常時伸張付勢するフィルタ付勢手段が設けられていることを特徴とする。
【００１０】
第３の発明では、第１又は第２の発明において、上記伸縮作動手段は、作業者が把持して上記エアフィルタを伸縮させる操作ハンドルであり、上記粉塵排出口に上下に移動可能に挿入され、上記エアフィルタ内部と上記フィルタケース外部とを連通させる筒状把持部と、該筒状把持部の一端側に接続され、上記エアフィルタの他端側開口を支持するフィルタ支持部とを備えていることを特徴とする。
【００１１】
第４の発明では、第３の発明において、上記フィルタ支持部は、フィルタ支持部付勢手段により常時上方付勢されていることを特徴とする。
【００１２】
第５の発明では、第３又は第４の発明において、上記フィルタ支持部は、上方に行くに従って側方に拡がる錐体形状であることを特徴とする。
【００１３】
第６の発明では、第１から第５のいずれか１つの発明において、上記フィルタ付勢手段は、上記エアフィルタの両端開口周縁を支持する一対の環状フレームと、該環状フレームの中心から径方向に延出して上記環状フレームに繋がる補強フレームと、上記エアフィルタの筒中心線に沿って延び、一端が一方の補強フレームに接続され、且つ、他端が開口する筒部材と、上記エアフィルタの筒中心線に沿って延び、一端側が上記筒部材にスライド可能に挿入され、且つ、他端が他方の補強フレームに接続された棒材と、上記筒部材内部に収容され、上記棒材を上記筒部材から突出する方向に常時付勢するバネ部材とを備えていることを特徴とする。
【発明の効果】
【００１４】
第１の発明では、伸縮作動手段によりエアフィルタを伸縮させると、エアフィルタ内面にへばりつく粉塵が落下する。したがって、エアフィルタの目詰まりの進行を遅くして交換周期を延ばすことができ、ランニングコストの増加を抑制できる。また、エアフィルタ内面から落下した粉塵は、開閉手段により粉塵排出口から排出できるので、エアフィルタ内部に粉塵が留まらないようになり、エアフィルタの交換時に、一度エアフィルタで捕捉された粉塵がフィルタケース内に落下してエア流出口からエアと共に出て行くといったことを防ぐことができる。
【００１５】
第２の発明では、フィルタ付勢手段によりエアフィルタが伸張されてフィルタ面積を広く維持できるので、効率良く粉塵を捕捉することができる。一方、フィルタ付勢手段の付勢力に抗してエアフィルタを筒中心線方向に沿って内側に縮めることでエアフィルタが小さくなり、エアフィルタをフィルタケースから簡単に取り外すことができる。
【００１６】
第３の発明では、作業者が操作ハンドルを把持して上下に移動させることでエアフィルタが伸縮するので、エアフィルタの伸縮操作を簡単に行うことができる。
【００１７】
第４の発明では、フィルタ支持部付勢手段の付勢力によりフィルタ支持部がエアフィルタの他端開口周縁に強固に密着するので、エアフィルタの他端開口周縁が不意にフィルタ支持部から外れてしまうのを防止できる。
【００１８】
第５の発明では、エアフィルタ内面から落下する粉塵がフィルタ支持部に沿って移動して筒状把持部開口に集まるようになるので、エアフィルタ内部から筒状把持部を介して粉塵をスムーズに排出させることができる。
【００１９】
第６の発明では、環状フレーム内方には補強フレームしかないので、エア流入口から流入するエアをスムーズにエアフィルタ内部に案内できる。また、筒部材及び棒材は筒中心線に沿って設けられているので、エア流入口からエアフィルタ内部に流入するエアは筒部材及び棒材に遮られることなくエアフィルタの内部から外部へと通過することができる。
【図面の簡単な説明】
【００２０】
【図１】本発明の実施形態１に係るエアフィルタ装置の斜視図である。
【図２】本発明の実施形態１に係るエアフィルタ装置の分解斜視図である。
【図３】図１のＡ−Ａ線における断面図であり、操作ハンドルを操作する直前の状態を示す。
【図４】図１のＡ−Ａ線における断面図であり、操作ハンドルを操作している最中の状態を示す。
【図５】本発明の実施形態２に係る図３相当図である。
【図６】本発明の実施形態３に係る図３相当図であり、エアフィルタを交換している途中の状態を示す。
【発明を実施するための形態】
【００２１】
以下、本発明の実施形態を図面に基づいて詳細に説明する。尚、以下の好ましい実施形態の説明は、本質的に例示に過ぎない。
《発明の実施形態１》
図１及び図２は、本発明の実施形態１に係るエアフィルタ装置１を示す。該エアフィルタ装置１は、図示しない射出成形機に付設されたホッパードライヤの排出エアから粉塵を捕捉するためのものであり、上下に延びる直方体形状のフィルタケース２と、両端が開口し、伸縮性を有する不織布製の円筒状エアフィルタ３と、作業者が把持して操作するための操作ハンドル４（伸縮作動手段）とを備えている。
【００２２】
上記フィルタケース２は、上壁２１、側壁２２及び下壁２３を有し、これら３つの壁により囲まれた内側にフィルタ収容空間２０が形成されている。
【００２３】
上記側壁２２の一面は、蓋カバー２４を構成していて、該蓋カバー２４を取り外すことにより、上記フィルタ収容空間２０が開放するようになっている。
【００２４】
上記上壁２１中央には、円形状をなすエア流入口２１ａが、上記下壁２３中央には、上記エア流入口２１ａより小径の円形状なす粉塵排出口２３ａがそれぞれ対向する位置に貫通形成されている。
【００２５】
上記エア流入口２１ａ周縁には、流入側環状突条部２１ｂが上方突設され、該流入側環状突条部２１ｂには、エア流入配管２５の下流端が接続されている。
【００２６】
また、上記上壁２１下面のエア流入口２１ａ周りには、図３又は図４に示すように、当該エア流入口２１ａより径が大きい円環状ガイド板２１ｃが下方突設されている。
【００２７】
さらに、上記側壁２２の上半部分には、円形状をなすエア流出口２２ａが貫通形成されている。該エア流出口２２ａ周縁には、流出側環状突条部２２ｂが外側方に向かって突設され、該流出側環状突条部２２ｂには、エア流出配管２６の上流端が接続されている。
【００２８】
上記エアフィルタ３内方には、当該エアフィルタ３を常時伸張付勢するフィルタ付勢具５（フィルタ付勢手段）が設けられ、該フィルタ付勢具５は、上記エアフィルタ３の両端開口周縁を支持する一対の環状フレーム５１（図１参照）と、当該環状フレーム５１の中心から径方向両側に延出して上記環状フレーム５１に繋がる補強フレーム５２とを備えている。
【００２９】
また、上記フィルタ付勢具５は、筒中心線沿って延びる筒部材５３と棒材５４とを備えている。
【００３０】
上記筒部材５３の一端は、一方（上方）の補強フレーム５２中央に接続され、その他端（下端）は開口している。
【００３１】
また、上記棒材５４の一端側は、上記筒部材５３にスライド可能に挿入される一方、他端は、他方（下方）の補強フレーム５２中央に接続されている。
【００３２】
そして、上記筒部材５３の内部には、第１コイルバネ６（バネ部材）が収容され、該第１コイルバネ６の一端が上記筒部材５３の一端側に固定されるとともに、他端が上記棒材５４の一端に固定されていて、上記第１コイルバネ６は、上記棒材５４を上記筒部材５３から突出する方向に常時付勢している。
【００３３】
上記操作ハンドル４は、上記粉塵排出口２３ａに上下に移動可能に挿入された筒状把持部４１と、該筒状把持部４１の上端（一端側）に接続され、当該筒状把持部４１の開口周縁から水平方向外側に延出する円板状のフィルタ支持部４２と、該フィルタ支持部４２の外周縁から上方に延出する円環状延出部４３とを備えている。
【００３４】
上記筒状把持部４１には、第２コイルバネ７（フィルタ支持部付勢手段）が巻装され、その一端が上記フィルタ支持部４２の下面に、他端が上記フィルタケース２の下壁２３上面にそれぞれ当接し、上記フィルタ支持部４２を常時上方付勢している。
【００３５】
そして、上記エアフィルタ３を上記フィルタ付勢具５の付勢力（第１コイルバネ６のバネ力）に抗して筒中心線方向に縮めた状態で上記フィルタ収容空間２０に収容し、一端側開口を上記エア流入口２１ａに、他端側開口を上記フィルタ支持部４２にそれぞれ対応させた状態で上記フィルタ付勢具５の付勢力で伸張させると、上記エアフィルタ３の一端側開口周縁が上記上壁２１下面に支持される一方、他端側開口周縁が上記フィルタ支持部４２に支持されるようになっている。
【００３６】
一方、上記エアフィルタ３が上記フィルタ収容空間２０に収容された状態で、上記エアフィルタ３をフィルタ付勢具５の付勢力に抗して筒中心線方向に縮めると、上記エアフィルタ３の一端側開口周縁が上記上壁２１下面から離間するとともに他端側開口周縁が上記フィルタ支持部４２から離間して、上記エアフィルタ３を上記フィルタ収容空間２０から取り出せるようになっている。
【００３７】
すなわち、上記エアフィルタ３は、上記フィルタ収容空間２０に収容されて一端側開口が上記エア流入口２１ａに、他端側開口が粉塵排出口２３ａにそれぞれ着脱可能に繋がるようになっていている。
【００３８】
また、上記エアフィルタ３の一端側開口が上記エア流入口２１ａに、他端側開口が粉塵排出口２３ａにそれぞれ繋がった状態で、上記筒状把持部４１によって上記エアフィルタ３内部と上記フィルタケース２外部とが連通するようになっていて、上記操作ハンドル４を上下に移動させると、上記エアフィルタ３が筒中心線に沿う方向に伸縮するようになっている。
【００３９】
尚、本発明の実施形態１では、筒部材５３が上方に、棒材５４が下方に位置する姿勢でエアフィルタ３をフィルタケース２に収容しているが、筒部材５３が下方に、棒材５４が上方に位置する姿勢でエアフィルタ３をフィルタケース２に収容してもよい。上記筒部材５３を下方に位置する姿勢にすると、当該筒部材５３の開口が上を向いてエア流入口２１ａから流入する排気エア内の粉塵が筒部材５３内部に留まり易くなるので、上記エアフィルタ３は、上記筒部材５３が上方に位置する姿勢で上記フィルタケース２に収容するのが好ましい。
【００４０】
上記筒状把持部４１の下端には、当該筒状把持部４１の下端開口を開閉可能に塞ぐキャップ４４（開閉手段）が取り付けられ、該キャップ４４は、上記エア流入口２１ａから流入するエアを上記エアフィルタ３の内部から外部へと通過させて上記エア流出口２２ａから排出させる過程で粉塵を捕捉する際には、上記粉塵排出口２３ａを閉じる一方、上記エアフィルタ３内部に留った粉塵を上記フィルタケース２外部に排出する際には、上記粉塵排出口２３ａを開くようになっている。
【００４１】
次に、上記エアフィルタ装置１による粉塵の捕捉について説明する。
【００４２】
まず、図３に示すように、上記筒状把持部４１の下端開口を上記キャップ４４で塞いだ状態で図示しないホッパードライヤを作動させる。すると、ホッパードライヤ内の排出エアは、上記エア流入口２１ａからエアフィルタ３内部に流入し、当該エアフィルタ３の内部から外部へと通過して排出エアに含まれる粉塵が捕捉された後、上記エア流出口２２ａから流出する。
【００４３】
次いで、上記エアフィルタ３の交換周期を延ばすための作業について説明する。
【００４４】
まず、図示しないホッパードライヤが停止している状態で、図３及び図４に示すように、作業者は下端開口が上記キャップ４４で塞がれた筒状把持部４１を把持して上下に移動させる。すると、上記エアフィルタ３が筒中心線方向に伸縮して当該エアフィルタ３内部に付着する粉塵が下方に落下する。
【００４５】
しかる後、作業者は、キャップ４４を筒状把持部４１から取り外す。すると、エアフィルタ３内方に留まる粉塵が筒状把持部４１を介してエアフィルタ３内部からフィルタケース２外部へと排出される。
【００４６】
そして、エアフィルタ３内部に留まる粉塵を排出した後、筒状把持部４１下端にキャップ４４を取り付けて図示しないホッパードライヤの作動を再開する。
【００４７】
以上より、本発明の実施形態１によると、操作ハンドル４によりエアフィルタ３を伸縮させると、エアフィルタ３内面にへばりつく粉塵が落下する。したがって、エアフィルタ３の目詰まりの進行を遅くして交換周期を延ばすことができ、ランニングコストの増加を抑制できる。また、エアフィルタ３内面から落下した粉塵は、キャップ４４により粉塵排出口２３ａから排出できるので、エアフィルタ３内部に粉塵が留まらないようになり、エアフィルタ３の交換時に、一度エアフィルタ３で捕捉された粉塵がフィルタケース２内に落下してエア流出口２２ａからエアと共に出て行くといったことを防ぐことができる。
【００４８】
また、フィルタ付勢具５によりエアフィルタ３が伸張されてフィルタ面積を広く維持できるので、効率良く粉塵を捕捉することができる。一方、フィルタ付勢具５の付勢力に抗してエアフィルタ３を筒中心線方向に沿って内側に縮めることでエアフィルタ３が小さくなり、エアフィルタ３をフィルタケース２から簡単に取り外すことができる。
【００４９】
さらに、作業者が操作ハンドル４を把持して上下に移動させることでエアフィルタ３が伸縮するので、エアフィルタ３の伸縮操作を簡単に行うことができる。
【００５０】
それに加え、第２コイルバネ７の付勢力によりフィルタ支持部４２がエアフィルタ３の他端開口周縁に強固に密着するので、エアフィルタ３の他端開口周縁が不意にフィルタ支持部４２から外れてしまうのを防止できる。
【００５１】
そして、上記環状フレーム５１内方には補強フレーム５２しかないので、エア流入口２１ａから流入するエアをスムーズにエアフィルタ３内部に案内できる。また、筒部材５３及び棒材５４は筒中心線に沿って設けられているので、エア流入口２１ａからエアフィルタ３内部に流入するエアは筒部材５３及び棒材５４に遮られることなくエアフィルタ３の内部から外部へと通過することができる。
《発明の実施形態２》
図５は、本発明の実施形態２に係るエアフィルタ装置１を示す。この実施形態２では、フィルタ支持部４２の形状が実施形態１と異なるだけで、その他は実施形態１と同じであるため、以下、実施形態１と異なる部分のみを説明する。
【００５２】
実施形態２のフィルタ支持部４２は、上方に行くに従って側方に拡がる円錐体形状をなしていて、その外周縁近傍で上記エアフィルタ３の下端開口縁を支持している。
【００５３】
尚、実施形態２のエアフィルタ装置１による粉塵の捕捉、及びエアフィルタ３の交換周期を延ばすための作業は、実施形態１と同じであるので詳細な説明を省略する。
【００５４】
したがって、本発明の実施形態２によると、エアフィルタ３内面から落下する粉塵がフィルタ支持部４２に沿って移動して筒状把持部４１開口に集まるようになるので、エアフィルタ３内部から筒状把持部４１を介して粉塵をスムーズに排出させることができる。
《発明の実施形態３》
図６は、本発明の実施形態３に係るエアフィルタ装置１を示す。この実施形態３では、フィルタケース２の上壁２１が蓋カバー２４を構成しており、フィルタ収容空間２０へのエアフィルタ３の着脱の仕方が実施形態１と異なるだけで、その他は実施形態１と同じであるため、以下、実施形態３のエアフィルタ３の着脱の仕方について説明する。
【００５５】
実施形態３では、上記フィルタケース２の上方開口からフィルタ収容空間２０にエアフィルタ３を挿入するとともに、該エアフィルタ３の他端側開口を上記フィルタ支持部４２に対応させた状態で、上記エアフィルタ３の一端側開口にエア流入口２１ａを対応させた上壁２１を上記第１コイルバネ６及び第２コイルバネ７の付勢力に抗して下方に移動させて側壁２２に上壁２１を固定することで、上記エアフィルタ３が上記フィルタ収容空間２０に収容されるようになっている。
【００５６】
一方、実施形態３では、上記上壁２１を側壁２２から取り外すと、第１コイルバネ６及び第２コイルバネ７の付勢力によりエアフィルタ３の一端側がフィルタケース２の開口部分から飛び出るので、当該箇所を把持して上記フィルタ収容空間２０から上記エアフィルタ３を取り出すようになっている。
【００５７】
したがって、本発明の実施形態３によると、エアフィルタ３をフィルタ収容空間２０へ収容する際にエアフィルタ３を筒中心線方向に縮める作業を、蓋カバー２４を構成する上壁２１の側壁２２への取り付け作業と同時に行えるので、実施形態１よりもエアフィルタ３のフィルタ収容空間２０への収容が簡単容易である。
【００５８】
尚、本発明の実施形態１，２では、操作ハンドル４がフィルタケース２下部に設けられているが、この位置に限らず、エアフィルタ３を筒中心線方向に沿う方向に伸縮させることができるならば、どの位置に設けられていてもよい。
【００５９】
また、本発明の実施形態１，２では、エアフィルタ３の素材を不織布としたが、その他の素材を用いて製造してもよく、筒中心線方向に伸縮可能となる素材であればよい。
【００６０】
さらに、本発明の実施形態２では、フィルタ支持部４２が円錐体形状をなしているが、角錐体形状をなしていてもよい。
【００６１】
それに加えて、本発明の実施形態１，２では、上記エアフィルタ装置１をホッパードライヤから排出されるエアに含まれる粉塵の捕捉に使用しているが、これに限らず、その他の機器から排出されるエアに含まれる粉塵の捕捉に使用することができる。
【００６２】
また、本発明の実施形態１，２では、エアフィルタ３内部にへばりつく粉塵を落下させる際にエアフィルタ３を上下に伸縮させているが、これに限らず、例えば、エアフィルタ３を筒中心線周りに捻りながら上下に伸縮させるようにしてもよい。
【産業上の利用可能性】
【００６３】
本発明は、空気中に含まれる粉塵を除去するエアフィルタ装置に適している。
【符号の説明】
【００６４】
１        エアフィルタ装置
２        フィルタケース
３        エアフィルタ
４        操作ハンドル（伸縮作動手段）
５        フィルタ付勢具（フィルタ付勢手段）
６        第１コイルバネ（バネ部材）
７        第２コイルバネ（フィルタ支持部付勢手段）
２０        フィルタ収容空間
２１ａ        エア流入口
２２        側壁
２２ａ        エア流出口
２３        下壁
２３ａ        粉塵排出口
４１        筒状把持部
４２        フィルタ支持部
４４        キャップ（開閉手段）
５１        環状フレーム
５２        補強フレーム
５３        筒部材
５４        棒材
【図１】
2014100629.tif 000003
【図２】
2014100629.tif 000004
【図３】
2014100629.tif 000005
【図４】
2014100629.tif 000006
【図５】
2014100629.tif 000007
【図６】
2014100629.tif 000008